(57)【要約】【課題】バイパス空間の存在にもかかわらず、冷却器室に戻った冷気の多くを冷却器の上流側からその内部を通過させることができるようにする。【解決手段】内箱２２内の冷凍室１００の背面側にファングリル３により画成されて冷凍室との間で空気の循環路を形成する冷却器室２０を設け、冷却器室内には、上方より、ファン９、冷却器１、ヒータールーフ５、及びヒーター４を配置するとともに、底面部をヒーターによる除霜時の水受け部７として形成し、かつ内箱と冷却器の間には、着霜時の風路閉塞を防止するための背面側バイパス空間８を設ける。また、循環路における冷却器室入口部に、戻り冷気を底面部に這わせて背面側に向かわせるトイ６を設けるとともに、背面側の内箱に、底面部を這って進入してきた戻り冷気を冷却器前面側に導くガイド１０Ａを設ける。【選択図】図１
2011089718.tif 000002
【特許請求の範囲】
【請求項１】
内箱内の冷凍室の背面側にファングリルにより画成されて前記冷凍室との間で空気の循環路を形成する冷却器室を設け、該冷却器室内には、上方より、ファン、冷却器、ヒータールーフ、及びヒーターを配置するとともに、底面部を前記ヒーターによる除霜時の水受け部として形成し、かつ前記内箱と前記冷却器の間には、着霜時の風路閉塞を防止するための背面側バイパス空間を設けた冷凍冷蔵庫において、
前記循環路における冷却器室入口部に、戻り冷気を前記底面部に這わせて背面側に向かわせるトイを設けるとともに、
背面側の前記内箱に、前記底面部を這って進入してきた戻り冷気を冷却器前面側に導くガイドを設けたことを特徴とする冷凍冷蔵庫。
【請求項２】
前記ヒータールーフを、背面側に向けて下方に傾斜させたことを特徴とする請求項１記載の冷凍冷蔵庫。
【請求項３】
前記ガイドを、前記内箱とは別体から構成したことを特徴とする請求項１又は請求項２記載の冷凍冷蔵庫。
【請求項４】
前記ガイドを、前記内箱と一体に設けたことを特徴とする請求項１又は請求項２記載の冷凍冷蔵庫。
【請求項５】
前記ファングリルと前記冷却器の間に、前記背面側バイパス空間より風路断面積の大きい前面側バイパス空間を設けたことを特徴とする請求項１乃至請求項４のいずれかに記載の冷凍冷蔵庫。
【発明の詳細な説明】
【技術分野】
【０００１】
本発明は、ファンにより冷却器に空気を循環させて庫内温度を低下・維持させる冷凍冷蔵庫に関する。
【背景技術】
【０００２】
従来より、庫内背面側に冷却器室を設け、冷却器室内には、上方にファン、その下方に冷却器、さらにその下方にヒータールーフを介して除霜ヒータを配置するとともに、冷却器の背面側、又は冷却器の背面側と前面側に、バイパス空間を設け、冷却器下部が着霜により目詰まりしても、戻り冷気をバイパス空間を通して冷却器上部を通過させることで冷却できるようにして、着霜による冷却能力の劣化を防止できるようにしたものが知られている（例えば、特許文献１参照）。
【先行技術文献】
【特許文献】
【０００３】
【特許文献１】特開平１０−３８４４９号公報（図１、図４〜６）
【発明の概要】
【発明が解決しようとする課題】
【０００４】
しかしながら、前述のように冷却器への着霜のみを考慮してバイパス空間を設けたものにあっては、目詰まりしていない通常状態下の冷却器室に戻った冷気の冷却器へ至るまでの挙動については、考慮されていない。このため、戻り冷気は、着霜していない場合にも、流れ易いバイパス空間に直接向かって流れ、バイパス空間を通過し、主に冷却器の下流側と熱交換し、冷却器の上流側は活用されず十分に冷却されないまま冷却器室から庫内に放出されるといった難点があった。
【０００５】
本発明の技術的課題は、バイパス空間の存在にもかかわらず、冷却器室に戻った冷気の多くを冷却器の上流側からその内部を通過させることができるようにすることにある。
【課題を解決するための手段】
【０００６】
本発明に係る冷凍冷蔵庫は、下記の構成からなるものである。すなわち、内箱内の冷凍室の背面側にファングリルにより画成されて冷凍室との間で空気の循環路を形成する冷却器室を設け、冷却器室内には、上方より、ファン、冷却器、ヒータールーフ、及びヒーターを配置するとともに、底面部をヒーターによる除霜時の水受け部として形成し、かつ内箱と冷却器の間には、着霜時の風路閉塞を防止するための背面側バイパス空間を設けた冷凍冷蔵庫において、循環路における冷却器室入口部に、戻り冷気を底面部に這わせて背面側に向かわせるトイを設けるとともに、背面側の内箱に、底面部を這って進入してきた戻り冷気を冷却器前面側に導くガイドを設けたものである。
【発明の効果】
【０００７】
本発明の冷凍冷蔵庫によれば、循環路における冷却器室入口部に、戻り冷気を底面部に這わせて背面側に向かわせるトイを設けるとともに、背面側の内箱に、底面部を這って進入してきた戻り冷気を冷却器前面側に導くガイドを設けたので、内箱側に回った気流を冷却器前面部に向かわせて、冷気の多くを冷却器の上流側からその内部を通過させることができる。このため、冷却器を有効に活用することができて、冷却効率を向上させることができる。
【図面の簡単な説明】
【０００８】
【図１】本発明の実施の形態１に係る冷凍冷蔵庫の冷却器周りの構成を示す側面断面図である。
【図２】図１の要部である冷却器室を庫内循環用ファンを取り外した状態で示す拡大断面図である。
【図３】本発明の実施の形態１に係る冷凍冷蔵庫の冷却器室の変形例を庫内循環用ファンを取り外した状態で示す拡大断面図である。
【図４】本発明の実施の形態２に係る冷凍冷蔵庫の要部である冷却器室を庫内循環用ファンを取り外した状態で示す拡大断面図である。
【発明を実施するための形態】
【０００９】
実施の形態１．
以下、図示実施形態により本発明を説明する。
図１は本発明の実施の形態１に係る冷凍冷蔵庫の冷却器周りの構成を示す側面断面図、図２は図１の要部である冷却器室を庫内循環用ファンを取り外した状態で示す拡大断面図、図３は図１の要部である冷却器室の変形例を庫内循環用ファンを取り外した状態で示す拡大断面図である。
【００１０】
本実施の形態の冷凍冷蔵庫は、図１及び図２のように外箱２１と内箱２２の間に断熱材２３が充填されて、前面が開口する本体外郭が形成されている。本体内は仕切り１０２によって上下の室に画成され、上の室が冷凍室１００、下の室が野菜室１０１となっており、各室の前面開口が、冷凍室扉１０５と野菜室扉１０６により、それぞれ開閉自在に閉塞されている。そして、冷凍室１００内には冷凍室ケース１０３が、また野菜室１０１内には野菜室ケース１０４が収容されている。
【００１１】
冷凍室１００の背面側には、ファングリル３により画成されて冷凍室１００との間で空気（冷気）の循環路を形成する冷却器室２０が設けられている。冷却器室２０内には、上方に庫内循環用のファン９、その下方に冷却器１、さらにその下方に背面側に向けて下方に傾斜するヒータールーフ５を介して霜取りヒーター４が配置されているとともに、冷却器室２０の底面部が霜取りヒーター４による除霜時の水受け部７として構成されている。また、内箱２２と冷却器１の間には、着霜時の風路閉塞を防止するための背面側バイパス空間８が設けられており、背面側バイパス空間８の上端部は閉塞されている。
【００１２】
冷却器室２０の下部前面側には、循環路における冷却器室入口が形成され、この冷却器室入口部に、戻り冷気を底面部すなわち水受け部７に這わせて背面側に向かわせるトイ６が設けられている。また背面側の内箱２２には、水受け部７を這って進入してきた戻り冷気を冷却器前面側に導く別体構成のガイド１０Ａが設けられている。
【００１３】
以上のように構成される本実施の形態の冷凍冷蔵庫において、冷却器１により冷却された冷却器室２０内の冷気はファン９により送風され、ファングリル３内を通り冷凍室１００に送られ、冷凍室ケース１０３内の食品を冷却し、冷凍室１００内を冷却した冷気は、戻り冷気として冷却器室２０内に戻る。また、戻り冷気は、冷凍室ケース１０３の湿気や食品の出し入れにより冷凍室１００内に入り込む湿気も運び入れる。湿気は冷却器１に霜として付着する。冷却器１への霜の付着による能力低下を防ぐため、図示しない圧縮機の運転時間や一定時間ごとに霜取りヒーター４の発熱により霜を水滴にして冷却器１より滴下させる。水滴はヒータールーフ５の斜面上に滴下し、ヒータールーフ５の斜面上を背面側下方に伝い流れて、水受け部７に滴下し、排出される。
【００１４】
また、庫内循環後に冷却器室２０に戻る冷気は、冷却器室入口部のトイ６によって直下の水受け部７に向かい、水受け部７に到達した冷気は、水受け部７上を這うように背面側に向かう。背面側の内箱２２に到達した冷気は、内箱２２により向きを上向きに変えられ、内箱２２表面を這うように上昇し、ガイド１０Ａ部に至り、ガイド１０Ａによって冷却器前面側に導かれる。これにより、冷気の多くを冷却器１の上流側からその内部を通過させることができ、従来、背面側バイパス空間８に集中していた戻り冷気の流れを分散することができる。このため、冷却器１内部を流れる気流の分布を改善することが可能となり、冷却器を有効に活用することができて、冷却効率を向上させることができる。
【００１５】
また、ヒータールーフ５を、背面側に向けて下方に傾斜させて設置しているので、ガイド１０Ａによって戻り冷気を冷却器前面側に導く際の障害とならず、スムーズに戻り冷気を冷却器前面側に案内することができる。
【００１６】
なお、ここではガイド１０Ａを背面側の内箱２２とは別体構成としたものを例に挙げて説明したが、これを図３のように背面側の内箱２２と一体構成としたガイド１０Ｂとしてもよいことは言うまでもない。
【００１７】
実施の形態２．
図４は本発明の実施の形態２に係る冷凍冷蔵庫の要部である冷却器室を庫内循環用ファンを取り外した状態で示す拡大断面図であり、図中、前述の実施の形態１と同一部分には、同一符号を付してある。なお、説明に当っては前述の図１を参照するものとする。
【００１８】
本実施の形態の冷凍冷蔵庫は、図４のようにファングリル３と冷却器１の間に、背面側バイパス空間８より風路断面積の大きい前面側バイパス空間１１を設け、前面側バイパス空間１１の上端部は閉塞した点が前述の冷却器室の変形例（図３）のものと異なっている。それ以外の構成は前述の実施の形態１と同様である。
【００１９】
本実施の形態の冷凍冷蔵庫においては、前面側バイパス空間１１を背面側バイパス空間８よりも広くしているため、気流（戻り冷気）は抵抗の小さい前面側バイパス空間１１を流れ易くなる。これにより、気流（戻り冷気）を冷却器１の前面側に更に向かわせることが可能となって、より多くの冷気を冷却器１の上流側からその内部を通過させることができ、戻り冷気の流れを分散することができる。このため、冷却器１内部を流れる気流の分布を更に改善することが可能となり、冷却器を有効に活用することができて、冷却効率を一層向上させることができる。
【符号の説明】
【００２０】
１  冷却器、３  ファングリル、４  ヒーター、５  ヒータールーフ、６  トイ、７  水受け部、８  背面側バイパス空間、９  ファン、１０Ａ，１０Ｂ  ガイド、１１  前面側バイパス空間、２０  冷却器室、２２  内箱、１００  冷凍室。
【図１】
2011089718.tif 000003
【図２】
2011089718.tif 000004
【図３】
2011089718.tif 000005
【図４】
2011089718.tif 000006